(57)【要約】【課題】 迅速、且つ効率的に患者の健康を管理することができる健康管理方法及びそれを実施するためのシステムを提供する。【解決手段】 患者の健康状態を測定し、その測定結果に対する情報を有する測定信号を発生させる医療端末機１０と、前記測定信号を利用して患者の健康状態に関する情報を有する健康情報信号を発生させる移動端末機３０と、移動端末機と無線で接続され、移動端末機の位置をリアルタイムで検出してその検出結果に関する情報を有する位置情報を発生させる人工衛星７０と、患者の健康状態が正常か否かを判定すべく健康情報信号を分析し、その分析結果及び前記位置情報を利用して患者の健康を管理する医療用サーバー５０とを備える。【選択図】図１
2005305105.tif 000002
【特許請求の範囲】
【請求項１】
患者の健康状態を測定し、その測定結果に関する情報を有する測定信号を発生させる医療端末機と、
前記測定信号を利用して患者の健康状態に関する情報を有する健康情報信号を発生させる移動端末機と、
前記移動端末機と無線で接続され、前記移動端末機の位置をリアルタイムで検出してその検出結果に関する情報を有する位置情報を発生させる人工衛星と、
患者の健康状態が正常か否かを判定すべく前記健康情報信号を分析し、その分析結果及び前記位置情報を利用して患者の健康を管理する医療用サーバーと、
を備えていることを特徴とする健康管理システム。
【請求項２】
前記医療端末装置は、患者の心電図を測定するようになっていることを特徴とする請求項１に記載の健康管理システム。
【請求項３】
前記医療用サーバーは、前記分析結果に応じて患者の健康状態に対応する健康管理情報を前記移動端末機に送信することを特徴とする請求項１に記載の健康管理システム。
【請求項４】
前記移動端末機は、前記健康管理情報を表示するディスプレー部を含むことを特徴とする請求項３に記載の健康管理システム。
【請求項５】
前記医療用サーバーは、患者の健康に異常があると判定された場合、管理者又は病院の管理センター又は救急隊に対して、前記位置情報及び前記分析結果を送信するようになっていることを特徴とする請求項１に記載の健康管理システム。
【請求項６】
前記移動端末機は、前記医療用サーバーと無線通信ネットワークを介して接続されているとともに、前記医療端末機とローカルエリアネットワークを介して接続されていることを特徴とする請求項１に記載の健康管理システム。
【請求項７】
患者の健康状態を測定し、その測定結果に関する情報を有する健康情報信号を発生させる医療端末機と、
前記医療端末機と無線で接続され、前記医療端末機の位置をリアルタイムで検出してその検出結果に関する情報を有する位置情報を発生させる人工衛星と、
患者の健康状態が正常か否かを判定すべく、前記健康情報信号を分析し、その分析結果及び前記位置情報を利用して患者の健康を管理する医療用サーバーと、
を備えていることを特徴とする健康管理システム。
【請求項８】
前記医療用サーバーは、前記医療端末機に対し、前記分析結果に対応する健康管理情報を送信することを特徴とする請求項７に記載の健康管理システム。
【請求項９】
前記医療端末機は、
患者の健康状態を測定して前記健康情報信号を発生させる情報生成部と、
前記健康管理情報を受信して表示するディスプレー部と、
前記測定結果に関する情報及び前記健康管理情報を記録する医療端末機データベースと、
前記人工衛星と無線で接続され前記位置情報を提供する衛星部と、
を有していることを特徴とする請求項８に記載の健康管理システム。
【請求項１０】
患者の健康状態を測定し、その測定結果に関する情報を有する測定信号を発生させるステップと、
前記測定信号を利用して、患者の健康状態に関する情報を有する健康情報信号を発生させるステップと、
患者の健康状態が正常か否かを判定すべく、前記健康情報信号を分析するステップと、
人工衛星を利用して患者の位置をリアルタイムで検出し、その検出結果に関する情報を有する位置情報を発生させるステップと、
前記分析結果及び位置情報に応じて患者の健康を管理するステップと、
を有していることを特徴とする健康管理方法。
【請求項１１】
前記患者の健康を管理するステップは、
前記分析結果に応じて健康管理情報を患者に提供するステップと、
患者の健康に異常があった場合、前記位置情報及び前記分析結果に関する情報を、管理者又は病院の管理センター又は救急隊に提供し、それによって患者に応急措置を受けさせるステップと、
を有していることを特徴とする請求項１０に記載の健康管理方法。
【請求項１２】
前記患者の心電図が測定されることを特徴とする請求項１０に記載の健康管理方法。
【発明の詳細な説明】
【技術分野】
【０００１】
本発明は、健康管理方法及びそれを実施するためのシステムに関するものであり、より詳細には、迅速、且つ効率的に患者の健康を管理することができる健康管理方法及びそれを実施するためのシステムに関するものである。
【背景技術】
【０００２】
健康管理システムは患者の健康を管理するシステムを意味する。従来の健康管理システムは、患者が病院を訪問したり医者が患者の家を訪問したりして、患者の健康状態を測定し、その後、前記測定結果に対応して適切な処方を行っていた（特許文献１〜３参照）。しかし、この従来の健康管理システムは、患者が病院に訪問したり医者が患者の家に訪問したりしなければ、適切な治療及び情報を提供することができないため、効率的でなかった。また、在宅治療を受けている患者の場合、突然な発病の場合に、医者が迅速な措置を取ることができずに患者が死亡する確率が高かった。したがって、患者の健康を迅速、且つ效率的に管理することができる健康管理システムが求められていた。
【特許文献１】韓国公開特許公報２００３−７７２４８
【特許文献２】韓国公開特許公報２００３−７０４７９
【特許文献１】韓国公開特許公報２００３−５８７１１
【発明の開示】
【発明が解決しようとする課題】
【０００３】
したがって、本発明の第１の目的は、迅速、且つ効率的に患者の健康を管理することができる健康管理方法を提供することにある。
本発明の第２の目的は、当該健康管理方法を実施するのに特に適した健康管理システムを提供することにある。
【課題を解決するための手段】
【０００４】
上記目的を達成するために、本発明の好ましい一実施例による健康管理システムは、医療端末機、移動端末機、人工衛星及び医療用サーバーを備えている。医療端末機は患者の健康状態を測定し、その測定結果に関する情報を有する測定信号を発生させる。移動端末機は前記測定信号を利用して患者の健康状態に関する情報を有する健康情報信号を発生させる。人工衛星は移動端末機と無線で接続され、移動端末機の位置をリアルタイムで検出してその検出結果に関する情報を有する位置情報を発生させる。医療用サーバーは、患者の健康状態が正常か否かを判定すべく、前記健康情報信号を分析し、その分析結果及び前記位置情報を利用して患者の健康を管理する。
【０００５】
本発明の好ましい他の実施例による健康管理システムは、医療端末機、人工衛星及び医療用サーバーを備えている。医療端末機は患者の健康状態を測定し、その測定結果に関する情報を有する健康情報信号を発生させる。人工衛星は、医療端末機と無線で接続され、医療端末機の位置をリアルタイムで検出し、その検出結果に関する情報を有する位置情報を発生させる。医療用サーバーは、患者の健康状態が正常か否かを判定すべく、前記健康情報信号を分析し、前記分析結果及び前記位置情報を利用して患者の健康を管理する。
【０００６】
本発明の好ましい一実施例による健康管理方法は、患者の健康状態を測定し、その測定結果に関する情報を有する測定信号を発生させるステップ、前記測定信号を利用して患者の健康状態に関する情報を有する健康情報信号を発生させるステップ、患者の健康状態が正常か否かを判定すべく、前記健康情報信号を分析するステップ、人工衛星を利用して患者の位置をリアルタイムで検出し、その検出結果に関する情報を有する位置情報を発生させるステップ、及び前記分析結果及び位置情報に応じて患者の健康を管理するステップを有している。
【０００７】
本発明による健康管理方法及びその遂行のためのシステムは、人工衛星を介して患者の位置を検出するので、患者に異常が発生した場合、效率的に対処することができる。さらに、本発明による健康管理方法及びその遂行のためのシステムは、患者の健康状態に関する測定データを無線通信ネットワークを介して受信し、それに対応する健康管理情報を患者に提供するので、医者は患者に適した治療方法及び健康管理方案を迅速に提供し、患者は自身の健康管理を效率的に行なうことができる。
【発明の効果】
【０００８】
本発明によれば、人工衛星を利用して患者の位置を検出するので、患者に健康の異常が発生した場合、患者に迅速に応急処置を受けさせることができ、死亡率を下げることができる。
また、本発明によれば、患者の健康状態に関する測定データを無線通信ネットワークを介して提供し、それに対応する健康管理情報を患者に提供するので、医者は、患者に適した治療方法及び健康管理方法を迅速に提供し、患者は自分の健康管理を效率的に行なうことができる。
さらに、本発明によれば、移動端末機及び人工衛星を介して患者の健康を管理するので、患者の位置に関係なく、的確にかつ効率的に患者の健康を管理することができる。
【発明を実施するための最良の形態】
【０００９】
以下、添付図面を参照して本発明の好ましい実施例による健康管理方法及びそれを実施するためのシステムを詳細に説明する。図１は、本発明の好ましい一実施例による健康管理システムの概略構成を示した図である。
【００１０】
図１を参照して、本発明の健康管理システムは、医療端末機１０、移動端末機３０、医療用サーバー５０、及び人工衛星７０を備えている。
医療端末機１０は、患者の身体に付着せしめられ、患者の健康状態（例えば、心電図）を測定する。また、医療端末機１０は、移動端末機３０と無線で接続され、前記測定結果に対する情報を有する測定信号を移動端末機３０に送信する。ここで、医療端末機１０は、移動端末機３０とブルートゥースのようなローカルエリアネットワークを介して接続されている。
【００１１】
移動端末機３０は、医療端末機１０とローカルエリアネットワークを介して接続されており、医療用サーバー５０とは無線通信ネットワークを介して接続されている。移動端末機３０は、医療端末機１０から送信された前記測定信号を利用して、患者の健康状態に関する情報である健康情報データを搬送波に乗せて医療用サーバー５０に送信する。勿論、移動端末機３０はインターネットを通じて前記健康情報データを医療用サーバー５０に送信することもできる。
【００１２】
医療用サーバー５０は、患者の健康状態が正常か否かを判定すべく、移動端末機３０から送信された前記健康情報データを分析し、それに対応する措置を取る。また、医療用サーバー５０は、人工衛星を介して患者の位置をリアルタイムで検出する。詳しくは、医療用サーバー５０は、患者の測定値（心電図）が既設定された基準値より高いとき、患者の健康に異常があると判定し、管理者、病院の管理センター及び救急隊等に連絡し、リアルタイムで検出された患者の位置に対する情報を提供する。この場合、管理者等は提供された患者の位置に速かに移動して患者に応急措置を取る。他方、医療用サーバー５０は、患者の測定値（心電図）が基準値より低いとき、患者の健康に異常がないと判定し、患者の状態に対応する健康管理情報を、無線通信ネットワークを通じて移動端末機３０に送信する。ここで、前記健康管理情報は医者の処方を含んでいる。勿論、医療用サーバー５０は、患者の健康に異常があると判定したときにも、それに対応する健康管理情報を移動端末機３０に提供することができる。移動端末機３０は、ディスプレー手段を介して医療用サーバー５０から送信された前記健康管理情報を表示する。
【００１３】
本発明の健康管理システムは、患者の位置を、人工衛星を介してリアルタイムで検出するので、患者の健康状態の測定結果から患者の健康に異常があると判定されたとき、迅速かつ効率的に患者に対する応急措置が取られるようにすることができる。また、健康管理システムは、患者の健康状態を、リアルタイムで無線通信ネットワークを介してチェックするので、患者の健康状態を正確、且つ速やかに把握でき、患者の状態に応じた適切な措置を迅速に提供することができる。
【００１４】
本発明の健康管理システムを利用すれば、救急医療システムを構築することができる。さらに、本発明の健康管理システムは、人工衛星を介して患者の位置をリアルタイムで検出するので、他のどの救急医療システムより速やかに患者に対する応急処置がとられるようにすることができる。したがって、本発明の健康管理システムによれば、患者の死亡率を下げることができる。
【００１５】
本発明の健康管理システムについて、もう少し具体的に患者の疾病に伴う死亡率の観点から考察する。例えば、心筋梗塞症がある患者の場合、心臓発作後２時間内に死亡する確率が高い。この場合、本発明の健康管理システムは、患者の心臓拍動異常時、管理者及び救急隊等に連絡して、２時間内に緊急措置を取ることができるので、患者の死亡率を下げることができる。他の例として、羊水塞栓症の妊産婦の場合、緊急治療をしなければ５〜６時間内に死亡する。この場合、本発明の健康管理システムを利用すれば、５〜６時間内に患者に緊急治療を提供することができる。即ち、本発明の健康管理システムは緊急患者発生時に緊急救命治療を提供することができるので、患者の死亡率を下げることができる。
【００１６】
図２は、図１の医療端末機の構成を示したブロック図である。図２を参照して、医療端末機１０は、測定部１００、変換部１２０、医療端末機コード部１４０、及び医療端末機データベース（以下、“医療端末機ＤＢ”と称する）１６０を有している。
【００１７】
測定部１００は、患者の健康状態を測定し、その測定情報を変換部１２０に提供する。例えば、測定部１００は、患者の体に付着せしめられた１個以上のセンサーにより患者の心電図を測定し、その測定情報を変換部１２０に提供する。勿論、測定部１００は、患者の身体に接続されたセンサー以外の他の装置によって患者の他の健康状態をチェックすることもできる。このように、本発明の構成は、この実施例のチェック方法に限定されるものではない。
【００１８】
変換部１２０は、医療端末機コード部１４０から提供された医療端末機１０のコードと、測定部１００から提供された測定情報とを、測定結果に対する情報を有する適当な形態の測定信号に変換する。例えば、心電図測定の場合、測定部１００は、医療端末機コードと、電流値又は電圧値として示された測定情報を、送信のための適当な形態の測定信号に変換する。
【００１９】
医療端末機コード部１４０は、医療用サーバー５０が医療端末機１０を認識できるようにする前記コードを記録しており、前記コードに対する情報を変換部１２０に提供する。
医療端末機ＤＢ１６０は、変換部１２０から提供された前記測定情報を記録する。本発明の一実施例による医療端末機ＤＢ１６０は、移動端末機３０から提供された前記健康管理情報を記録することができる。
【００２０】
図３は、図１の前記移動端末機の構成を示したブロック図である。図３を参照して、移動端末機３０は、測定信号受信部２００、情報生成部２２０、移動端末機コード部２４０、情報送信部２６０、衛星部２８０、移動端末機データベース（以下、“移動端末機ＤＢ”と称する）３００、健康管理情報受信部３２０及びディスプレー部３４０を有している。
【００２１】
測定信号受信部２００は、前記測定信号を受信して情報生成部２２０に提供する。移動端末機コード部２４０は、移動端末機の各種コードを有し、これらのコードを情報生成部２２０に提供する。例えば、移動端末機コード部２４０は、医療用サーバー５０が認識することができるコード及び人工衛星７０が認識することができるコードを含む。
【００２２】
情報生成部２２０は、前記測定信号に含まれた患者の健康状態測定結果と移動端末機３０のコードとを結合して健康情報データを生成し、前記健康情報データを情報送信部２６０及び移動端末機ＤＢ３００に提供する。
情報送信部２６０は、情報生成部２２０より生成された前記健康情報データを健康情報信号に乗せて医療用サーバー５０に提供する。
【００２３】
衛星部２８０は、移動端末機コード部２４０から、人工衛星７０が認識することができるコードを受信する。人工衛星７０は、衛星部２８０と無線で接続され、衛星部２８０を介してコードを認識する。その結果、人工衛星７０は、移動端末機３０の位置を検出して患者の位置を把握する。勿論、移動端末機３０は、医療端末機１０とローカルエリアネットワークを介して接続され、医療端末機１０の位置を把握し、医療端末機１０の位置に関する情報を衛星部２８０に記録することができる。その結果、人工衛星７０は、衛星部２８０と無線で接続されて、医療端末機１０の位置を検出して患者の位置を把握することができる。
【００２４】
健康管理情報受信部３２０は、医療用サーバー５０から提供された前記健康管理情報を受信し、前記健康管理情報をディスプレー部３４０及び移動端末機ＤＢ３００に提供する。
移動端末機ＤＢ３００は、前記健康情報データ及び前記健康管理情報を記録する。
ディスプレー部３４０は、前記健康管理情報を患者に表示する。その結果、患者は自分の健康状態を把握でき、それに対応する医者の処方及び健康管理方法を把握することができる。このような方法によって患者は能動的、效率的に自分の健康を管理することができる。
【００２５】
図４は、図３の健康情報データを概略的に示した図である。図４を参照して、健康情報データは、移動端末機識別コード、認証コード、医療端末機識別コード及び測定データを含んでいる。
【００２６】
移動端末機識別コードは、医療用サーバー５０が移動端末機３０を認識することができるコードであり、前記認証コードは、医療用サーバー５０が患者を認識することができるコードである。また、前記医療端末機識別コードは、医療用サーバー５０が医療端末機１０を認識することができるコードであり、前記測定データは、患者の健康状態測定に対する情報を有するたデータである。
【００２７】
図５は、図１の医療用サーバーの構成を示したブロック図である。図５を参照して、医療用サーバー５０は、健康情報受信部４００、情報分析部４２０、状態判断部４４０、サーバーデータベース（以下、“サーバーＤＢ”と称する）４６０、管理部４８０、位置判断部５００及び健康管理情報提供部５２０を有している。
【００２８】
健康情報受信部４００は、アンテナなどを介して移動端末機３０から送信された前記健康情報信号を受信して情報分析部４２０に提供する。
情報分析部４２０は、前記健康情報信号に含まれた患者の健康状態測定に対する情報を分析し、分析結果をサーバーＤＢ４６０及び状態判断部４４０に提供する。このような分析方法としては、多様な公知の方法のいずれかを選択することができる。
【００２９】
状態判断部４４０は、情報分析部４２０から提供された前記分析結果を既設定された基準値と比較して患者の健康に異常が生じたかを判定する。詳しくは、状態判断部４４０は、患者から測定された測定値が基準値を超過したとき、患者の健康に異常があると判定する。他方、状態判断部４４０は患者から測定された測定値が基準値未満であるとき、患者の健康に異常がないと判定する。
【００３０】
位置判断部５０は、人工衛７０と無線で接続され、人工衛星７０が検出した患者の位置をリアルタイムで提供を受け、前記提供された患者の位置に関する情報を管理部４８０に提供する。
管理部４８０は、患者の健康が異常と判定された場合、管理者、病院の管理センター及び救急隊等に、位置判断部５００から提供された患者の位置に関する情報及び患者の健康状態に関する情報を提供して患者に対する応急措置が取られるようにする。また、管理部４８０は、前記患者の健康状態に対する情報を健康管理情報提供部５２０に提供する。
【００３１】
健康管理情報提供部５２０は、患者の健康状態に対応する健康管理情報を移動端末機３０に提供する。本発明の一実施例による前記健康管理情報は医者の処方箋を含んでいる。
サーバーＤＢ４６０は、患者の健康状態に対する分析結果を記録する。本発明の一実施例によるサーバーＤＢ４６０は、複数の患者に対する情報を多様な形態で記録することができる。
【００３２】
図６は、本発明の別の好ましい実施例による健康管理システムの概略構成を示した図面である。図６を参照して、本発明の健康管理システムは、医療端末機６００、医療用サーバー６２０及び人工衛星６４０を備えている。
【００３３】
医療端末機６００は、患者の身体に付着されて患者の健康状態を測定し、その測定結果を、無線通信ネットワークを介して医療用サーバー６２０に提供する。
人工衛星６４０は、医療端末機６００と無線で接続され医療端末機６００の位置、即ち、患者の位置をリアルタイムで検出して医療用サーバー６２０に提供する。
【００３４】
医療用サーバー６２０は、患者の健康状態が正常か否かを判定すべく、医療端末機６００から提供された前記測定結果を分析する。また、医療用サーバー６２０は、患者の健康に異常があると判定されたとき、管理者、病院の管理センター及び救急隊等に、人工衛星６４０から提供された患者の位置に対する情報、及び患者の健康状態に関する情報を提供して患者に対する応急措置が取られるようにする。医療用サーバー６２０は、患者の健康状態に対応する健康管理情報を無線通信ネットワークを介して医療端末機６００に提供する。
本発明の一実施例による医療端末機６００は、前記健康管理情報を受信して表示することができる。
【００３５】
図７は、図６の前記医療端末機の構成を示したブロック図である。図７を参照して、医療端末機６００は、測定部７００、情報生成部７２０、医療端末機データベース（以下、“医療端末機ＤＢ”と称する）７４０、コード部７６０、衛星部７８０、健康管理情報受信部８００及びディスプレー部８２０を有している。
【００３６】
測定部７００は、患者の身体に付着せしめられて患者の健康状態を測定し、その測定結果を情報生成部７２０に送信する。コード部７６０は、各種コードを記録し、これらのコードを情報生成部７２０及び衛星部７８０に提供する。
情報生成部７２０は、測定部７００による測定結果及び前記コードを結合して健康情報データを発生させる。また、情報生成部７２０は、前記健康情報データを医療用サーバー６２０及び医療端末機ＤＢ７４０に提供する。
【００３７】
健康管理情報受信部８００は、医療用サーバー６２０から提供された健康管理情報を受信し、その健康管理情報を医療端末機ＤＢ７４０及びディスプレー部８２０に提供する。
ディスプレー部８２０は前記健康管理情報を患者に表示する。
医療端末機ＤＢ７４０は、前記健康情報データ及び前記健康管理情報を記録する。
【００３８】
衛星部７８０は、コード部７６０から、人工衛星６４０が医療端末機の位置を認識することができるコードを受信して記録している。その結果、人工衛星６４０は、衛星部７８０に記録されたコードを認識して医療端末機６００の位置、即ち、患者の位置を検出する。
【００３９】
図８は本発明の好ましい一実施例による健康管理方法のフロー図である。以下、心電図を例として本発明の方法を説明する。
図８を参照して、まず最初、患者の心電図が複数のセンサーによって測定される（Ｓ１００）。次に、測定データが医療用サーバー５０，６２０に送信される（Ｓ１２０）。
【００４０】
医療用サーバー５０，６２０は、前記測定データを分析し（Ｓ１４０）、分析結果を既設定された基準値と比較して、患者に心電図異常が発生されたか判定する（Ｓ１６０）。
患者に心電図異常が発生した場合、医療用サーバー５０，６２０は、患者の位置及び状態を管理者、病院の管理センター及び救急隊等に提供し、患者に対する応急措置が取られるようにする（Ｓ１８０）。患者に心電図異常がないと判定された場合、医療用サーバー５０，６２０は、健康管理情報を提供する（Ｓ２００）。
【図面の簡単な説明】
【００４１】
【図１】本発明の好ましい一実施例による健康管理システムの概略構成を示す図である。
【図２】図１の医療端末機の構成を示すブロック図である。
【図３】図１の移動端末機の構成を示すブロック図である。
【図４】図３の健康情報データを概略的に示す図である。
【図５】図１の医療用サーバーの構成を示すブロック図である。
【図６】本発明の別の好ましい実施例による健康管理システムの概略構成を示す図である。
【図７】図６の医療端末機の構成を示すブロック図である。
【図８】本発明の好ましい一実施例による健康管理方法のフロー図である。
【符号の説明】
【００４２】
１０、６００  医療端末機
３０  移動端末機
５０、６２０  医療用サーバー
７０、６４０  人工衛星
１００、７００  測定部
１２０  変換部
１４０  医療端末機コード部
１６０、７４０  医療端末機ＤＢ
２００  測定信号受信部
２２０、７２０  情報生成部
２４０  移動端末機コード部
２６０  情報送信部
２８０、７８０  衛星部
３００  移動端末機ＤＢ
３２０  健康管理情報受信部
３４０、８２０  ディスプレー部
【図１】
2005305105.tif 000003
【図２】
2005305105.tif 000004
【図３】
2005305105.tif 000005
【図４】
2005305105.tif 000006
【図５】
2005305105.tif 000007
【図６】
2005305105.tif 000008
【図７】
2005305105.tif 000009
【図８】
2005305105.tif 000010